(57)【要約】【課題】原稿の読取解像度が不適切になるのを抑制しつつ、読取時間を短縮する技術を提供する。【解決手段】画像読取装置は、原稿を搬送する原稿搬送部と、原稿搬送部によって搬送されてくる原稿の第１面および第２面の読取処理の可能な読取部２１、２２と、原稿の第１面の読取処理を開始する際の第１解像度よりも低解像度である第２解像度での原稿の第２面の読取処理が適切か否かを判断する判断部４１と、第２解像度での第２面の読取処理が適切と判断された場合、第２面の読取時の解像度を第２解像度に切替える切替部４２とを備える。【選択図】図３
2012075006.tif 000002
【特許請求の範囲】
【請求項１】
原稿を搬送する原稿搬送部と、
前記原稿搬送部によって搬送されてくる前記原稿の第１面および第２面の読取処理の可能な読取部と、
前記原稿の第１面の読取処理を開始する際の第１解像度よりも低解像度である第２解像度での前記原稿の第２面の読取処理が適切か否かを判断する判断部と、
前記第２解像度での前記第２面の読取処理が適切と判断された場合、前記第２面の読取時の解像度を前記第２解像度に切替える切替部と、
を備えた原稿読取装置。
【請求項２】
請求項１に記載の原稿読取装置において、
前記第１面の読取画像を解析する第１解析部をさらに備え、
前記判断部は、前記第１解析部によって前記第１面の読取画像がテキスト画像であると解析された場合、前記第２解像度での前記第２面の読取処理が適切と判断する、原稿読取装置。
【請求項３】
請求項１または請求項２に記載の原稿読取装置において、
前記読取部は、
搬送されてくる前記原稿の前記第１面を第１読取位置で読み取る第１読取部と、
前記第１読取部の原稿搬送方向下流側に設けられ、前記第１読取部から搬送されてくる前記第１面を有する前記原稿の反対面である前記第２面を第２読取位置で読み取る第２読取部とを含む、原稿読取装置。
【請求項４】
請求項３に記載の原稿読取装置において、
前記第１解像度で読み取るべき面と前記第２解像度で読み取るべき面とを有する原稿を読み取る読取処理をユーザが選択するための選択部と、
当該読取処理が選択された場合、前記第１解像度で読み取るべき面を前記第１面として前記原稿搬送部にセットするように報知する報知部と、をさらに備え、
前記判断部は、当該読取処理が選択された場合、前記第２解像度での前記第２面の読取処理が適切と判断する、原稿読取装置。
【請求項５】
請求項４に記載の原稿読取装置において、
前記切替部は、前記第１面の読取処理が終了した時に、前記第２面の読取時の解像度を前記第２解像度に切替える、原稿読取装置。
【請求項６】
請求項３に記載の原稿読取装置において、
前記第１面の読取画像を解析する第１解析部と、
前記第２面の読取画像を解析する第２解析部と、
前記第１解析部による解析結果と前記第２解析部による解析結果とから、前記第１面の画像と前記第２面の画像とが同一画像であるか否かを推定する推定部と、をさらに備え、
前記判断部は、前記第１解析部による解析結果から前記第２解像度での前記原稿の前記第１面の読取処理が適切であると判断し、且つ前記推定部の推定から各面の画像が同一画像であると推定された場合、前記第２解像度での前記第２面の読取処理が適切と判断する、原稿読取装置。
【請求項７】
請求項６に記載の原稿読取装置において、
前記第１解析部は前記第１面で使用されている色を抽出し、
前記第２解析部は前記第２面で使用されている色を抽出し、
前記推定部は、前記第１面の画像と前記第２面の画像とが同一画像であるか否かを、抽出された各面の色が同一であるか否かを比較して推定する、原稿読取装置。
【請求項８】
請求項６に記載の原稿読取装置において、
前記第１解析部は前記第１面の解像度推定区間後端位置の少なくとも１ラインデータを抽出し、
前記第２解析部は前記第２面の解像度推定区間後端位置の少なくとも１ラインデータを抽出し、
前記推定部は、前記第１面の画像と前記第２面の画像とが同一画像であるか否かを、抽出された各面の抽出ラインデータが同一であるか否かを比較して推定する、原稿読取装置。
【請求項９】
請求項６に記載の原稿読取装置において、
前記第１解析部は前記第１面の解像度推定区間先端位置の数ラインデータを抽出し、
前記第２解析部は前記第２面の解像度推定区間先端位置の数ラインデータを抽出し、
前記推定部は、前記第１面の画像と前記第２面の画像とが同一画像であるか否かを、抽出された各面の抽出ラインデータが同一であるか否かを比較して推定する、原稿読取装置。
【請求項１０】
請求項６から請求項９のいずれか一項に記載の原稿読取装置において、
前記切替部は、前記第２解像度での前記第２面の読取処理が適切と判断された時点で、前記第１面の読取時の解像度も前記第２解像度に切替える、原稿読取装置。
【請求項１１】
請求項１０に記載の原稿読取装置において、
前記第１解像度で読み取られた画像を前記第２解像度に変換する変換部をさらに備える、原稿読取装置。
【請求項１２】
請求項１から請求項１１のいずれか一項に記載の原稿読取装置と、
前記原稿読取装置によって読み取られた原稿に基づいて画像を形成する画像形成部と、
を備えた、画像形成装置。
【請求項１３】
原稿の第１面および第２面の読取処理の可能な読取部を備えた原稿読取装置における原稿読取方法であって、
前記原稿の第１面の読取処理を前記読取部によって開始する際の第１解像度よりも低解像度である第２解像度での前記原稿の第２面の読取処理が適切か否かを判断する判断工程と、
前記判断工程によって前記第２解像度での前記第２面の読取処理が適切と判断された場合、前記第２面の読取時の解像度を前記第２解像度に切替える切替工程と、
を含む原稿読取方法。
【発明の詳細な説明】
【技術分野】
【０００１】
本発明は原稿読取装置に関し、詳しくは原稿読取装置において原稿を読取る際の読取解像度を変更する技術に関する。
【背景技術】
【０００２】
従来、原稿読取装置において原稿を読み取る際の読取解像度を変更する技術として、例えば、特許文献１には、原稿の両面読取中にユーザが操作部を操作することにより、読取途中から読取解像度を変更する技術が開示されている。
【先行技術文献】
【特許文献】
【０００３】
【特許文献１】特開２００１−１６０８７７号公報
【発明の概要】
【発明が解決しようとする課題】
【０００４】
上述した従来技術文献等のようにすれば、例えば、第１解像度で読み取り始めたが第１解像度が高解像度で読取処理が遅いと感じた時に、ユーザは、操作部を操作して第１解像度よりも低解像度である第２解像度に変更することで、読取速度を上げることができる。
【０００５】
しかしながら、ユーザがやみくもに読取解像度を第２解像度に変更すれば、読取速度を上げることはできるものの、写真等の高解像度で読み取るべき原稿も不適切な第２解像度で読んでしまう虞がある。
【０００６】
また、ユーザが原稿の画像を確認した上で読取解像度を第２解像度に変更すれば、高解像度で読み取るべき原稿を第２解像度で読み取ってしまう可能性を低減することはできるものの、原稿の確認と操作に時間がかかり、読取開始から読取終了までの読取時間を短縮しにくいという不都合が生じる。
【０００７】
本発明は、原稿の読取解像度が不適切になるのを抑制しつつ、読取時間を短縮する技術を提供するものである。
【課題を解決するための手段】
【０００８】
第１の発明の原稿読取装置は、原稿を搬送する原稿搬送部と、前記原稿搬送部によって搬送されてくる前記原稿の第１面および第２面の読取処理の可能な読取部と、前記原稿の第１面の読取処理を開始する際の第１解像度よりも低解像度である第２解像度での前記原稿の第２面の読取処理が適切か否かを判断する判断部と、前記第２解像度での前記第２面の読取処理が適切と判断された場合、前記第２面の読取時の解像度を前記第２解像度に切替える切替部とを備える。
本構成によれば、第１面の読取が第１解像度で開始された場合であっても、第１解像度よりも低解像度である第２解像度での第２面の読取処理が適切と判断された場合、第２面の読取時の解像度が第２解像度に切替えられる。そのため、原稿の読取解像度が不適切になるのを抑制しつつ、読取時間を短縮することができる。
【０００９】
第２の発明は、第１の発明の原稿読取装置において、前記第１面の読取画像を解析する第１解析部をさらに備え、前記判断部は、前記第１解析部によって前記第１面の読取画像がテキスト画像であると解析された場合、前記第２解像度での前記第２面の読取処理が適切と判断する。
本構成によれば、原稿搬送部で一連の読取処理で読み取られる原稿の第１面がテキスト画像であれば第２面もテキスト画像である蓋然性が高く、第１面がテキスト画像である場合に第２解像度での第２面の読取処理が適切と判断することで、原稿の読取解像度が不適切になるのを抑制しつつ、読取時間を短縮することができる。
【００１０】
第３の発明は、第１または第２の発明の原稿読取装置において、前記読取部は、搬送されてくる前記原稿の前記第１面を第１読取位置で読み取る第１読取部と、前記第１読取部の原稿搬送方向下流側に設けられ、前記第１読取部から搬送されてくる前記第１面を有する原前記稿の反対面である前記第２面を第２読取位置で読み取る第２読取部とを含む。
本構成によれば、ダブル読取部、例えばダブルＣＩＳ（密着型イメージセンサ）の構成において、原稿の読取解像度が不適切になるのを抑制しつつ、読取時間を短縮することができる。
【００１１】
第４の発明は、第３の発明の原稿読取装置において、前記第１解像度で読み取るべき面と前記第２解像度で読み取るべき面とを有する原稿を読み取る読取処理をユーザが選択するための選択部と、当該読取処理が選択された場合、前記第１解像度で読み取るべき面を前記第１面として前記原稿搬送部にセットするように報知する報知部と、をさらに備え、前記判断部は、当該読取処理が選択された場合、前記第２解像度での前記第２面の読取処理が適切と判断する。
本構成によれば、第１解像度で読み取るべき面と第２解像度で読み取るべき面とを有する原稿を読み取る読取処理を実行する場合、原稿の読取解像度が不適切になるのをより確実に抑制できる。
【００１２】
第５の発明は、第４の発明の原稿読取装置において、前記切替部は、前記第１面の読取処理が終了した時に、前記第２面の読取時の解像度を前記第２解像度に切替える。
本構成によれば、第１面全体を第１解像度で読み取れるので第１面の読取画質が良い。第１面が高解像度で読み取られるべき画像であるときに有効となる。
【００１３】
第６の発明は、第３の発明の原稿読取装置において、前記第１面の読取画像を解析する第１解析部と、前記第２面の読取画像を解析する第２解析部と、前記第１解析部による解析結果と前記第２解析部による解析結果とから、前記第１面の画像と前記第２面の画像とが同一画像であるか否かを推定する推定部とをさらに備え、前記判断部は、前記第１解析部による解析結果から前記第２解像度での前記原稿の前記第１面の読取処理が適切であると判断し、且つ前記推定部の推定から各面の画像が同一画像であると推定された場合、前記第２解像度での前記第２面の読取処理が適切と判断する。
本構成によれば、第１面と第２面とで同一画像であるにもかかわらず、異なる読取解像度で読み取ってしまうのを抑制できる。
【００１４】
第７の発明は、第６の発明の原稿読取装置において、前記第１解析部は前記第１面で使用されている色を抽出し、前記第２解析部は前記第２面で使用されている色を抽出し、前記推定部は、前記第１面の画像と前記第２面の画像とが同一画像であるか否かを、抽出された各面の色が同一であるか否かを比較して推定する。
本構成によれば、原稿が長辺とじであるか、あるいは短辺とじであるかに係わらず、第１面の画像と第２面の画像とが同一画像であるか否かを好適に比較できる。
【００１５】
第８の発明は、第６の発明の原稿読取装置において、前記第１解析部は前記第１面の解像度推定区間後端位置の少なくとも１ラインデータを抽出し、前記第２解析部は前記第２面の解像度推定区間後端位置の少なくとも１ラインデータを抽出し、前記推定部は、前記第１面の画像と前記第２面の画像とが同一画像であるか否かを、抽出された各面の抽出ラインデータが同一であるか否かを比較して推定する。
本構成によれば、原稿が短辺とじである場合に、第１面の画像と第２面の画像とが同一画像であるか否かを好適に比較できる。
【００１６】
第９の発明は、第６の発明の原稿読取装置において、前記第１解析部は前記第１面の解像度推定区間先端位置の数ラインデータを抽出し、前記第２解析部は前記第２面の解像度推定区間先端位置の数ラインデータを抽出し、前記推定部は、前記第１面の画像と前記第２面の画像とが同一画像であるか否かを、抽出された各面の抽出ラインデータが同一であるか否かを比較して推定する。
本構成によれば、原稿が長辺とじである場合に、第１面の画像と第２面の画像とが同一画像であるか否かを好適に比較できる。
【００１７】
第１０の発明は、第６から第９のいずれかの発明の原稿読取装置において、前記切替部は、前記第２解像度での前記第２面の読取処理が適切と判断された時点で、前記第１面の読取時の解像度も前記第２解像度に切替える。  
本構成によれば、読取時間をより短縮できる。読取途中で解像度を切替ることになるが、両面とも低解像度で読み取ればよい画像なので、読取画質にむらが生じても許容できる。
【００１８】
第１１の発明は、第１０の発明の原稿読取装置において、前記第１解像度で読み取られた画像を前記第２解像度に変換する変換部をさらに備える。  
本構成によれば、読取画質にむらが生じるのを抑制できる。
【００１９】
第１２の発明の画像形成装置は、第１から第１１のいずれかの発明の原稿読取装置と、前記原稿読取装置によって読み取られた原稿に基づいて画像を形成する画像形成部とを備える。
本構成によれば、原稿読取機能を備えた画像形成装置において、原稿の読取解像度が不適切になるのを抑制しつつ、読取時間を短縮することができる。
【００２０】
第１３の発明の原稿読取方法は、原稿の第１面および第２面の読取処理の可能な読取部を備えた原稿読取装置における原稿読取方法であって、前記原稿の第１面の読取処理を前記読取部によって開始する際の第１解像度よりも低解像度である第２解像度での前記原稿の第２面の読取処理が適切か否かを判断する判断工程と、前記判断工程によって前記第２解像度での前記第２面の読取処理が適切と判断された場合、前記第２面の読取時の解像度を前記第２解像度に切替える切替工程とを含む。
本構成によれば、原稿の読取解像度が不適切になるのを抑制しつつ、読取時間を短縮することができる。
【図面の簡単な説明】
【００２１】
【図１】実施形態に係る複合機の電気的構成を示す模式図
【図２】読取部の構成を簡略化して示す模式図
【図３】ＡＳＩＣの電気的構成を示すブロック図
【図４】解像度推定レベルの説明図
【図５】読取処理の流れを示すフローチャート
【図６】裏表同一原稿推定処理の選択を示すフローチャート
【図７】Ａの裏表同一原稿推定処理の流れを示すフローチャート
【図８】Ｂの裏表同一原稿推定処理の流れを示すフローチャート
【図９】Ｃの裏表同一原稿推定処理の流れを示すフローチャート
【図１０】Ｄの裏表同一原稿推定処理の流れを示すフローチャート
【発明を実施するための形態】
【００２２】
＜実施形態＞
本発明の実施形態を、図１〜図１０を参照して説明する。
１．画像読取装置の構成
図１は、プリント機能、スキャン機能、およびコピー機能を備えた、いわゆる複合機（画像形成装置、画像読取装置の一例）１の電気的構成を示す模式図である。なお、画像形成装置は複合機に限られず、例えば、単にコピー機であってもよい。また、画像読取装置も複合機に限られず、例えば、単にイメージスキャナーであってもよい。
【００２３】
複合機１は、制御部１０、操作部１２、読取部１３、ＡＳＩＣ１４、および印刷部（画像形成部の一例）１５を含む。
【００２４】
制御部１０は、ＣＰＵ１１、ＲＯＭ１１ａ、及びＲＡＭ１１ｂを含む。ＣＰＵ１１はＲＯＭ１１ａに記憶されている各種のプログラムを実行することによって複合機１の各部を制御する。ＲＯＭ１１ａはＣＰＵ１１が実行する各種のプログラムなどを記憶している。ＲＡＭ１１ｂはＣＰＵ１１が各種の処理を実行するための主記憶装置として用いられる。
【００２５】
操作部１２（選択部、報知部の一例）は、ＬＣＤ（Liquid Crystal Display）などの表示装置（報知部の一例）や各種のボタン（選択部の一例）などを含む。ユーザは操作部１２を操作することによって機能の選択や読取条件の設定などの各種の操作を行うことができる。
【００２６】
読取部１３は、原稿５を搬送するＡＤＦ（Auto Document Feeder：原稿搬送部の一例、図２参照）２７やイメージセンサなどを含み、原稿５を読み取って画像データをＡＳＩＣ４０に出力する。読取部１３は、原稿の裏面（「原稿の第１面」に相当）５ｂを読み取る第１のＣＩＳ（Contact Image Sensor：第１読取部の一例、図２参照）２１と、原稿の表面（「原稿の第２面」に相当）５ａを読み取る第２のＣＩＳ２２（第２読取部の一例、図２参照）とを有している。これらのＣＩＳ２１，２２によって、原稿５の両面５ａ，５ｂが読み取られる。
【００２７】
すなわち、第１のＣＩＳ２１は、搬送されてくる原稿の裏面（以下「原稿裏面」と記す）５ｂを第１読取位置Ｐ１で読み取る。一方、第２のＣＩＳ２２は、第１のＣＩＳ２１の原稿搬送方向下流側に設けられ、第１のＣＩＳ２１から搬送されてくる原稿の表面５（以下「原稿表面」と記す）ａを第２読取位置Ｐ２で読み取る。
【００２８】
ＡＳＩＣ４０（Application Specific Integrated Circuit）は、読取部１３から出力された画像データや、あるいは複合機１と通信可能に接続されている図示しない外部のコンピュータから送信された画像データなどに各種の処理を施す回路である。ＡＳＩＣ１４の構成については後述する。
【００２９】
印刷部１５は、例えば、ＡＳＩＣ４０から出力された画像データに基づいて紙などの被記録媒体にＣＭＹＫ４色の色材（トナー、インクなど）を用いて電子写真方式、インクジェット方式などで画像を形成（印刷）する装置である。
【００３０】
２．読取部の構成
図２は、読取部１３の構成を簡略化して示す模式図である。
【００３１】
複合機１の筐体２３（図２では一部のみを図示）は概ね箱形に形成されており、上部に第１プラテンガラス２４と第２プラテンガラス２５とが並設されている。
【００３２】
原稿カバー２６は筐体２３の上面を覆う閉姿勢と筐体２３の上面を開放する開姿勢とに回動可能に筐体２３に連結されている。原稿カバー２６には、ＡＤＦ２７、紙などの原稿５が積載される原稿トレイ２８、排紙トレイ２９などが設けられている。
【００３３】
ＡＤＦ２７の内部には、分離ローラ３０、分離ローラ３０を軸支する軸に基端側を軸支されたアーム３１の先端部に回転自在に設けられている吸入ローラ３２、複数の搬送ローラ３３、３４、排紙ローラ３５、これらに圧接する複数の従動ローラ３６が設けられている。原稿５はこれらのローラに搬送されて搬送経路３７上を搬送され、第１のＣＩＳ２１による読取位置Ｐ１、および第２のＣＩＳ２２による読取位置Ｐ２を通過して排紙トレイ２９上に排紙される。
【００３４】
また、例えば、分離ローラ３０と搬送ローラ３３との間に原稿センサ３８が設けられている。原稿センサ３８は、例えば、分離ローラ３０から搬送されて来る原稿５の先端部を検出して原稿検出信号を生成し、原稿５の後端部の通過に伴って原稿検出信号をオフする。原稿検出信号はＡＳＩＣ４０に供給される。ＡＳＩＣ４０は、原稿検出信号の検出タイミングに基づいて、読取に係る各種の制御を行う。例えば、ＡＳＩＣ４０は、原稿検出信号に基づいて、原稿５の位置を推定する。原稿５の位置は、原稿５の搬送速度（既知）と、原稿検出信号の検出タイミングと、検出タイミングからの経過時間とを用いて推定される。検出タイミングからの経過時間は、タイマー（図示せず）によって計測される。
【００３５】
第２のＣＩＳ２２は、筐体２３の内部に収容されており、原稿表面（第２面）５ａを読み取る。ここで、原稿表面５ａは、原稿トレイ２８上に載置されている状態の原稿５において上を向く面、または第１プラテンガラス２４に載置されている状態の原稿５において下を向く面である。第２のＣＩＳ２２は等倍光学系を用いて原稿５を読み取るものであり、紙面に垂直な主走査方向に直線状に配列された複数の受光素子を有するＣＭＯＳイメージセンサ、ＲＧＢ３色の発光ダイオードを有する光源、原稿５で反射された反射光をＣＭＯＳイメージセンサの各受光素子に結像させるロッドレンズアレイ、これらが搭載されるキャリッジ、および、キャリッジを副走査方向（主走査方向に垂直な方向であって第１プラテンガラス２４の盤面に平行な方向）に往復移動させる図示しない搬送機構を備えている。
【００３６】
第２のＣＩＳ２２は、ＡＤＦ２７によって搬送される原稿５を読み取るときは第２プラテンガラス２５の下に停止し、光源の色を順に切り替えながら原稿５を読み取る。一方、第１プラテンガラス２４上に載置されている原稿５を読み取るときは、第２のＣＩＳ２２は副走査方向に一定速度で移動しつつ、光源の色を順に切り替えながら原稿５を読み取る。第２のＣＩＳ２２は、例えば、１００ｄｐｉ、２００ｄｐｉ、３００ｄｐｉ、および６００ｄｐｉの解像度での読み取りが可能である。
【００３７】
第１のＣＩＳ２１はＡＤＦ２７の内部に固定されており、ＡＤＦ２７によって搬送される原稿裏面（原稿の第１面）５ｂを読み取る。ここで、原稿裏面５ｂは、原稿トレイ２８上に載置されている状態の原稿５において下を向く面である。第１のＣＩＳ２１の構成は、移動可能に構成されていない点を除いて第２のＣＩＳ２２の構成と実質的に同一である。
【００３８】
３．ＡＳＩＣの構成
図３は、主にＡＳＩＣ４０の電気的構成を示すブロック図である。
【００３９】
ＡＳＩＣ４０は、判断部４１、切替部４２、第１解析部４３、第２解析部４４、推定部４５、および変換部４６を含む。
判断部４１は、原稿裏面５ｂの読取処理を開始する際の第１解像度よりも低解像度である第２解像度での原稿表面５ａの読取処理が適切か否かを判断する。例えば、ここでは、第１解像度を６００ｄｐｉとし、第２解像度を３００ｄｐｉとする。
【００４０】
切替部４２は、判断部４１によって第２解像度（３００ｄｐｉ）での原稿表面５ａの読取処理が適切と判断された場合、原稿表面５ａの読取時の解像度を、第２解像度（３００ｄｐｉ）に切替える。
なお、切替部４２は、第２解像度での原稿表面５ａの読取処理が適切と判断された時点で、原稿裏面５ｂの読取時の解像度も第２解像度（３００ｄｐｉ）に切替えるようにしてもよい。
【００４１】
第１解析部４３は、第１のＣＩＳ２１に接続され、原稿裏面５ｂの読取画像を解析する。一方、第２解析部４４は、第２のＣＩＳ２２に接続され、原稿の表面５ｂの読取画像を解析する。
【００４２】
判断部４１は、第１解析部４３によって原稿裏面５ｂの読取画像がテキスト画像であると解析された場合、第２解像度（３００ｄｐｉ）での原稿表面５ａの読取処理が適切と判断する。
【００４３】
なお、判断部４１は、第１解像度が所定解像度、例えば、１００ｄｐｉである場合、第２解像度での原稿表面５ａの読取処理が適切でないと判断するようにしてもよい。これは、第１解像度が最低解像度に設定されている場合、第２解像度が設定できないからである。
【００４４】
ＡＤＦ２７で一連の読取処理で読み取られる原稿裏面５ｂがテキスト画像であれば表面５ａもテキスト画像である蓋然性が高い。そのため、裏面５ｂがテキスト画像である場合に第２解像度（３００ｄｐｉ）による表面５ａの読取処理が適切と判断することで、原稿５の読取解像度が不適切になるのを抑制しつつ、読取時間を短縮することができる。
【００４５】
推定部４５は、第１解析部４３による解析結果と第２解析部４４による解析結果とから、原稿裏面５ｂの画像と原稿表面５ａの画像とが同一画像であるか否かを推定する。このとき、判断部４１が、第１解析部４３による解析結果から第２解像度（３００ｄｐｉ）での原稿裏面５の読取処理が適切であると判断し、且つ推定部４５の推定から各面５ａ，５ｂの画像が同一画像であると推定された場合、判断部４１は、第２解像度（３００ｄｐｉ）での原稿表面５ａの読取処理が適切と判断する。
【００４６】
変換部４６は、第１のＣＩＳ２１あるいは第２のＣＩＳ２２によって第１解像度で読み取られた画像を、第２解像度の画像に変換する。特に、切替部４２が、第２解像度での原稿表面５ａの読取処理が適切と判断された時点で、原稿裏面５ｂの読取時の解像度も第２解像度（３００ｄｐｉ）に切替える場合、変換部４６は、第１解像度（６００ｄｐｉ）で読み取られた画像を、第２解像度（３００ｄｐｉ）に変換するようにしてもよい。
【００４７】
４．読取処理
次に図４および図５を参照して、本実施形態における原稿５の読取処理について説明する。図５は、読取処理の流れを示すフローチャートである。本処理はユーザが原稿５を原稿トレイ２８上に載置し、原稿読取開始キーを押下すると開始される。
【００４８】
４−１．解像度推定区間
「読取処理」の説明に先立って、「解像度推定区間」について説明する。
「解像度推定区間」は、例えば、ユーザによって解像度推定レベルが入力される目盛り位置Ｘｍによって決定される。解像度推定レベルの設定目盛り１２Ａは、例えば、図４に示される。目盛りは、例えば、「高速・簡易」側からの「１」から「低速・詳細」の「１５」とされ、図４には、目盛り「７」が選択された場合を示す。なお、解像度推定レベルの設定目盛り１２Ａは、例えば、操作部１２の表示装置に表示される。
【００４９】
解像度推定レベルにおいて、「高速・簡易」に設定されると、解像度推定区間が狭くなる。一方、「低速・詳細」に設定されると、解像度推定区間が広くなる。
【００５０】
「解像度推定区間」は、例えば、以下のように目盛り位置Ｘｍによって算出される。裏面ＣＩＳ位置（Ｐ１）から表面ＣＩＳ位置（Ｐ２）までの距離Ｌ１＋原稿長Ｌ２を目盛り分「１５」で分割して分割区間Ｙを算出する。「解像度推定区間」をＺとすると、
Ｚ＝Ｘｍ＊Ｙ    （式１）
として算出する。
【００５１】
このように「解像度推定区間」を算出するのは、適切な解像度推定区間は原稿の印字パターンに依存するため、ユーザに選択してもらう必要があるためである。ここで、裏面ＣＩＳ位置から表面ＣＩＳ位置までの距離Ｌ１＋原稿長Ｌ２の値は、裏面原稿先端の読み始めから表面原稿後端読み終わりまでの用紙の移動距離となる。ユーザの設定次第で、最大で全読取範囲を解像度推定区間に設定できる。
【００５２】
４−２．読取に係る各処理
さて、搬送ローラ３３等によって原稿５が第１のＣＩＳ２１まで搬送されると（ステップＳ１１０）、第１のＣＩＳ２１は、原稿裏面５ｂの読取を開始する（ステップＳ１１５）。次いで、ＡＳＩＣ４０は、原稿センサ３８からの原稿検出信号に基づいて、解像度推定区間Ｚの後端位置と裏面読取距離とが等しいかどうか判定する（ステップＳ１２０）。ここで、解像度推定区間Ｚの後端位置は上記（式１）から決定され、裏面読取距離（原稿の位置）は、上記したように原稿検出信号等に基づいて算出される。
【００５３】
解像度推定区間Ｚの後端位置と裏面読取距離とが等しくないと判定された場合（ステップＳ１２０：ＮＯ判定）、さらに原稿５が搬送される。
等しいと判定された場合（ステップＳ１２０：ＹＥＳ判定）、原稿５の搬送が停止され（ステップＳ１２５）、裏面最適解像度が推定される（ステップＳ１３０）。
【００５４】
ここで裏面最適解像度の推定は、例えば、画像を２値化して、連続領域のサイズから推定する方法によって行われる。この方法では、「文字」のサイズを判定して解像度が推定される。
具体的には、例えば、画像を左上から右下に検索する際、ラベリングによって、連続する領域を検出する。検出された連続領域を囲む最大矩形のサイズを算出し、この矩形が文字であるか判定する。そして、文字と判定された矩形のサイズが所定の閾値以下であるかどうかを判定し、閾値以下と判断されたら、「高解像度」と推定し、閾値以上と判断されたら、「低解像度」と推定する。
【００５５】
次いで、ステップＳ１４０において、後述する「裏表同一原稿推定処理」が行われる。「裏表同一原稿推定処理」において、裏表同一原稿と推定された場合（ステップＳ１４５：ＹＥＳ）、ＡＳＩＣ４０は、裏面の最適解像度を読取解像度に設定する（ステップＳ１５０）。
【００５６】
一方、「裏表同一原稿推定処理」において、裏表同一原稿でないと推定された場合（ステップＳ１４５：ＮＯ）、ＡＳＩＣ４０は、表面の最適解像度を推定する（ステップＳ１５５）。表面最適解像度の推定は、上記裏面最適解像度の推定方法と同様である。
【００５７】
次いで、ＡＳＩＣ４０は、裏面の最適解像度と表面の最適解像度とを比較し、裏面の最適解像度の方が表面の最適解像度より高い場合（ステップＳ１６０：ＹＥＳ）、ステップＳ１５０に移行する。一方、裏面の最適解像度が表面の最適解像度より高くない場合（ステップＳ１６０：ＮＯ）、表面の最適解像度を読取解像度に設定する（ステップＳ１６５）。
【００５８】
次いで、原稿裏面５ｂの読取および搬送を再開し（ステップＳ１７０）、原稿裏面５ｂの読取が終了した場合（ステップＳ１７５：ＹＥＳ）、原稿表面５ａの読取および搬送を再開する（ステップＳ１８０）。
そして、ＡＳＩＣ４０は、解像度推定区間Ｚの読取データを、最適解像度のデータに変換する（ステップＳ１８５）。
【００５９】
５．裏表同一原稿推定処理
次に、図６〜図１０の各フローチャートを参照して、「裏表同一原稿推定処理」を説明する。
【００６０】
図６に示されるように、「裏表同一原稿推定処理」は、原稿５の印字形態が「長辺とじ」と「短辺とじ」とによって異なる。「長辺とじ」とは、読取原稿５が複数枚あり、各原稿５の長辺側がとじられるように印字された印字形態であり、「短辺とじ」とは、読取原稿５が複数枚あり、各原稿５の短辺側がとじられるように印字された印字形態である。
【００６１】
ＡＳＩＣ４０は、「裏表同一原稿推定処理」を行う前に、まず印字形態の判定を行う。印字形態の判定は、例えば、ユーザによるスキャン原稿の設定によって判定できる。
【００６２】
原稿５が「長辺とじ」であると判定された場合（ステップＳ２１０：ＹＥＳ）、「裏表同一原稿推定処理」として「Ｄの処理」を行う（ステップＳ２２０）。一方、原稿５が「短辺とじ」であると判定された場合（ステップＳ２３０：ＹＥＳ）、「裏表同一原稿推定処理」として「Ｂの処理」または「Ｃの処理」を行う（ステップＳ２４０）。また、原稿５が「長辺とじ」でも「短辺とじ」でもない場合（もしくは印字形態が限定（判定）できない場合）、例えば、読取原稿５が一枚の場合（ステップＳ２３０：ＮＯ）、「Ａの処理」を行う（ステップＳ２６０）。なお、この場合、「Ａの処理」〜「Ｄの処理」のいずれか一つの処理を行ってもよい。
【００６３】
次に各処理を説明する。
５−１．「Ａの処理」
図７は「Ａの処理」を示す、フローチャートである。
【００６４】
ＡＳＩＣ４０の第１解析部４３は、原稿裏面５ｂで使用されている色を抽出する（ステップＳ２６１）。また、ＡＳＩＣ４０の第２解析部４４は、原稿表面５ａで使用されている色を抽出する（ステップＳ２６２）。
【００６５】
ＡＳＩＣ４０の推定部４５は、裏面の画像と表面の画像とが同一画像（同一原稿）であるか否かを、抽出された各面の色が同一であるか否かを比較して推定する。すなわち、抽出された各面の色が同一であると判定した場合（ステップＳ２６３：ＹＥＳ）、裏表同一原稿と推定する（ステップＳ２６４）。一方、抽出された各面の色が同一でないと判定した場合（ステップＳ２６３：ＮＯ）、裏表同一原稿でないと推定する（ステップＳ２６５）。
なお、ここで、色の抽出および色の同一性の判定は、例えば、各色の画像中での出現頻度を表すヒストグラムを用いて行われる。例えば、モノクロ原稿をカラー読取し、裏面と表面のヒストグラムを作成する。そして、裏面、表面共に白と黒の出現頻度が高く、その他の色の出現頻度が低い傾向がヒストグラムに見られる場合、裏表同一原稿と推定する。
【００６６】
５−２．「Ｂの処理」
図８は「Ｂの処理」を示す、フローチャートである。
【００６７】
ＡＳＩＣ４０は、原稿長が、裏面読取距離と表面読取距離とを加算したものと等しいかどうか判定する（ステップＳ２４１）。ステップＳ２４１で「ＮＯ」判定の場合は、原稿５を搬送するとともに、読取を再開する（ステップＳ２４２）。一方、ステップＳ２４１で「ＹＥＳ」判定の場合は、原稿５の搬送および読取を停止する（ステップＳ２４３）。
【００６８】
次いで、ＡＳＩＣ４０の第１解析部４３は原稿裏面５ｂの解像度推定区間Ｚの後端位置の１ラインデータを抽出する（ステップＳ２４４）。また、ＡＳＩＣ４０の第２解析部４４は原稿表面５ａの解像度推定区間Ｚの後端位置の１ラインデータを抽出する（ステップＳ２４５）。
【００６９】
ＡＳＩＣ４０の推定部４５は、原稿裏面５ｂの画像と原稿表面５ａの画像とが同一画像（同一原稿）であるか否かを、抽出された各面の抽出ラインデータが同一であるか否かを比較することによって推定する。すなわち、抽出された各ラインデータがほぼ一致すると判定した場合（ステップＳ２４６：ＹＥＳ）、裏表同一原稿と推定する（ステップＳ２４７）。一方、抽出された各ラインデータが一致しないと判定した場合（ステップＳ２４６：ＮＯ）、裏表同一原稿でないと推定する（ステップＳ２４８）。
【００７０】
なお、ステップＳ２４６において、表面ラインデータは、原稿の右端から左端へ向けて、裏面ラインデータは、原稿の左端から右端へ向けて照合される。
【００７１】
５−３．「Ｃの処理」
図９は「Ｃの処理」を示す、フローチャートである。
【００７２】
ＡＳＩＣ４０は、原稿長＋「数ライン」を加算した長さが、裏面読取距離と表面読取距離とを加算したものより小さいかどうか判定する（ステップＳ２５１）。ステップＳ２５１で「ＮＯ」判定の場合は、原稿５を搬送するとともに、読取を再開する（ステップＳ２５２）。一方、ステップＳ２５１で「ＹＥＳ」判定の場合は、原稿５の搬送および読取を停止する（ステップＳ２５３）。
【００７３】
次いで、ＡＳＩＣ４０の推定部４５は、原稿裏面５ｂの画像と原稿表面５ａの画像とが同一画像（同一原稿）であるか否かを、原稿裏面５ｂと原稿表面５ａにおいて読取った「数ライン」のデータが同一であるか否かを比較することによって推定する。すなわち、抽出された各ラインデータがほぼ一致すると判定した場合（ステップＳ２５４：ＹＥＳ）、裏表同一原稿と推定する（ステップＳ２５５）。一方、抽出された各ラインデータが一致しないと判定した場合（ステップＳ２５４：ＮＯ）、裏表同一原稿でないと推定する（ステップＳ２５６）。
【００７４】
５−４．「Ｄの処理」
図１０は「Ｄの処理」を示す、フローチャートである。
【００７５】
ＡＳＩＣ４０の第１解析部４３は原稿裏面５ｂの解像度推定区間Ｚの先端位置の数ラインデータを抽出する（ステップＳ２２１）。また、ＡＳＩＣ４０の第２解析部４４は原稿表面５ａの解像度推定区間Ｚの先端位置の数ラインデータを抽出する（ステップＳ２２２）。
【００７６】
ＡＳＩＣ４０の推定部４５は、原稿裏面５ｂの画像と原稿表面５ａの画像とが同一画像（同一原稿）であるか否かを、抽出された各面の抽出ラインデータが同一であるか否かを比較することによって推定する。すなわち、抽出された各ラインデータがほぼ一致すると判定した場合（ステップＳ２２３：ＹＥＳ）、裏表同一原稿と推定する（ステップＳ２２４）。一方、抽出された各ラインデータが一致しないと判定した場合（ステップＳ２２３：ＮＯ）、裏表同一原稿でないと推定する（ステップＳ２２５）。
【００７７】
６．実施形態の効果-
原稿裏面５ｂの読取が第１解像度（６００ｄｐｉ）で開始された場合であっても、第１解像度（６００ｄｐｉ）よりも低解像度である第２解像度（３００ｄｐｉ）での原稿表面５ａの読取処理が適切と判断された場合、原稿表面５ａの読取時の解像度が第２解像度（３００ｄｐｉ）に切替えられる。そのため、原稿５の読取解像度が不適切になるのを抑制しつつ、読取時間を短縮することができる。
【００７８】
＜他の実施形態＞
本発明は上記記述及び図面によって説明した実施形態に限定されるものではなく、例えば次のような実施形態も本発明の技術的範囲に含まれる。
【００７９】
（１）操作部１２は、第１解像度で読み取るべき面と第２解像度で読み取るべき面とを有する原稿を読み取る読取処理をユーザが選択するための選択ボタン（選択部の一例）を含むようにする。そして、この読取処理が選択された場合、ＬＣＤなどの表示装置（報知部の一例）によって第１解像度で読み取るべき面を原稿裏面５ｂとしてＡＤＦ２７にセットするように報知するようにしてもよい。そして、判断部４１は、この読取処理が選択された場合、第２解像度での原稿表面５ａの読取処理が適切と判断するようにし、この場合、切替部４２は、原稿裏面５ｂの第１解像度での読取処理が終了した時に、原稿表面５ａの読取時の解像度を第２解像度に切替えるようにしてもよい。
【符号の説明】
【００８０】
１…複合機
１２…操作部
１３…読取部
２１…第１のＣＩＳ
２２…第２のＣＩＳ
４０…ＡＳＩＣ
４１…判断部
４２…切替部
４３…第１解析部
４４…第２解析部
４５…推定部
４６…変換部
【図１】
2012075006.tif 000003
【図２】
2012075006.tif 000004
【図３】
2012075006.tif 000005
【図４】
2012075006.tif 000006
【図５】
2012075006.tif 000007
【図６】
2012075006.tif 000008
【図７】
2012075006.tif 000009
【図８】
2012075006.tif 000010
【図９】
2012075006.tif 000011
【図１０】
2012075006.tif 000012